(57)【特許請求の範囲】
【請求項１】
ロール状に巻かれている包装用フィルムを載せる平行一対状の支持ローラを備え、この各支持ローラに、包装用フィルムの滑り防止用面状材が巻かれている衣類包装機の包装用フィルム送り装置であって、上記の面状材が、展開時に上から見て左右線対称の矢羽形に形成されていると共に、山形状の上辺と山形状の下辺を巻き付け時に接続するテープ状の面状ファスナーを、上辺と下辺に沿って、且つ巻き付け時に突き合わされる上辺と下辺を覆うように備えて形成され、同じ大きさの面状材が、一方の支持ローラと他方の支持ローラに、その長手方向の中央に、山形状の上辺の頂点を対向させて巻き付けられていることを特徴とする衣類包装機の包装用フィルム送り装置。
【請求項２】
請求項１記載の衣類包装機の包装用フィルム送り装置に使用する滑り防止用面状材であって、展開時に上から見て左右線対称の矢羽形に形成されていると共に、山形状の上辺と山形状の下辺を巻き付け時に接続するテープ状の面状ファスナーを、上辺と下辺に沿って、且つ巻き付け時に突き合わされる上辺と下辺を覆うように備えて形成されていることを特徴とする衣類包装機の包装用フィルム送り装置に使用する滑り防止用面状材。
【請求項３】
請求項２記載の衣類包装機の包装用フィルム送り装置に使用する滑り防止用面状材であって、巻き付け時に突き合わされる面状材の上辺と下辺を覆う面状ファスナーが、包装用フィルムとの接触摩擦が大きい状態に形成されていることを特徴とする衣類包装機の包装用フィルム送り装置に使用する滑り防止用面状材。
【発明の詳細な説明】
【技術分野】
【０００１】
本発明は、洗濯したワイシャツ等の衣類を吊るした状態で、ロール形に巻かれている筒状の樹脂製包装用フィルムで包装する衣類包装機に関し、更に詳しくはフィルムの滑りを防止して安定した状態で送ることができるよう形成した包装用フィルム送り装置及びこれに使用するフィルムの滑り防止用面状材に関するものである。
【背景技術】
【０００２】
従来、この種の包装用フィルム送り装置としては、例えば特許文献１に記載されているものがある。
この従来装置は、ロール形に巻かれている包装用フィルムを載せるための平行一対状のローラを備え、このローラ上でロール形の包装用フィルムを転動させて上方にフィルムを引き出し可能に形成されていた。
【０００３】
そして、この従来装置は、一対のローラに、フィルムの滑りを防止すると共に、静電気を除去するための面状材が巻装され、この面状材の摩擦力でロールの左右方向への動きを抑えるよう形成されていた。
【０００４】
しかしながら、この従来装置の場合は、面状材が間隔をあけてローラの左右位置に巻き付けられていた。また面状材の平面形状は、単に長方形に形成されているのに過ぎなかった。
【０００５】
そのため、包装作業が進んでフィルムの量が減り軽くなると、フィルムのロールが左右方向へ横振れ、横滑りするのを抑えることができなかった。その結果、従来装置によると、包装用フィルムを最後まで安定した状態で送り出すことができず、精度良く包装できない、という問題点があった。
【先行技術文献】
【特許文献】
【０００６】
【特許文献１】特開２０１３−２３２２６号公報
【発明の概要】
【発明が解決しようとする課題】
【０００７】
本発明は、このような従来技術の問題点に鑑み、提案されたものである。
従って、本発明の解決しようとする技術的課題は、洗濯したワイシャツ等の衣類を吊るした状態で、ロール形の包装用フィルムで包装する際、この包装用フィルムの送り出し時の横振れ、横滑りを防止し、フィルムを安定した状態で整然と送り出すことができるよう形成した衣類包装機の包装用フィルム送り装置及びこの装置に使用するフィルムの滑り防止用面状材を提供することにある。
【課題を解決するための手段】
【０００８】
本発明は、上記の課題を解決するため、次のような技術的手段を採る。
即ち、本発明は、図１等に示されるように、ロール状に巻かれている包装用フィルム４を載せる平行一対状の支持ローラ５を備え、この各支持ローラ５に、包装用フィルム４の滑り防止用面状材６が巻かれている衣類包装機１の包装用フィルム送り装置であって、上記の面状材６が、展開時に上から見て左右線対称の矢羽形に形成されていると共に、山形状の上辺６ａと山形状の下辺６ｂを巻き付け時に接続するテープ状の面状ファスナー１１を、上辺６ａと下辺６ｂに沿って、且つ巻き付け時に突き合わされる上辺６ａと下辺６ｂを覆うように備えて形成され、同じ大きさの面状材６が、一方の支持ローラ５と他方の支持ローラ５に、その長手方向の中央に、山形状の上辺６ａの頂点６ｃを対向させて巻き付けられていることを特徴とする（請求項１）。
【０００９】
而して、本発明の包装用フィルム送り装置に使用する滑り防止用面状材６としては、展開時に上から見て左右線対称の矢羽形に形成されていると共に、山形状の上辺６ａと山形状の下辺６ｂを巻き付け時に接続するテープ状の面状ファスナー１１を、上辺６ａと下辺６ｂに沿って、且つ巻き付け時に突き合わされる上辺６ａと下辺６ｂを覆うように備えて形成されているものがある（請求項２）。
【００１０】
また本発明の滑り防止用面状材６は、巻き付け時に突き合わされる面状材６の上辺６ａと下辺６ｂを覆う面状ファスナー１１が、包装用フィルム４との接触摩擦が大きい状態に形成されているのが好ましい（請求項３）。
【００１１】
なぜならこれによると、面状ファスナーによる調芯作用、調芯効果が一層高まり、その分、包装用フィルム４の横振れを防止できるからである。
【発明の効果】
【００１２】
本発明は、このように包装用フィルムの滑り防止用面状材が、展開時に上から見て左右線対称の矢羽形に形成されていると共に、山形状の上辺と山形状の下辺を巻き付け時に接続するテープ状の面状ファスナーを、上辺と下辺に沿って、且つ巻き付け時に突き合わされる上辺と下辺を覆うように備えて形成され、この面状材が、一方の支持ローラと他方の支持ローラの長手方向の中央に、山形状の上辺の頂点を対向させて巻き付けられている。
【００１３】
従って、本発明の場合は、面状ファスナーが面状材の表面に、面状ファスナーの厚み分だけ山形に盛り上がっている。
そのため、包装用フィルムは、面状ファスナーに密着し、面状ファスナーの調芯作用で、支持ロール上の同じ位置で回転する。それ故、本発明によると、包装用フィルムを、横振れさせることなく、安定した状態で整然と送り出すことができ、精度良く包装できる。
【図面の簡単な説明】
【００１４】
【図１】Ａは本発明装置の好適な一実施形態を示す要部平面図、Ｂは面状材の平面図である。
【図２】同上装置と衣類包装機を側方から見た要部構成図である。
【図３】衣類包装機の斜視図である。
【図４】衣類包装機を後側から見た斜視図である。
【図５】同上面状材の巻き付けの仕方を説明するための一部を切欠した平面図である。
【図６】同上面状材の巻き付けられた支持ローラを示す一部を切欠した平面図である。
【図７】図６のＶＩＩーＶＩＩ線における拡大断面図である。
【図８】同上装置の要部斜視図である。
【図９】同上面状材の底面図である。
【図１０】同上装置の要部背面図である。
【発明を実施するための形態】
【００１５】
以下、本発明装置及び面状材６の好適な一実施形態を、添付図面に従って説明する。
本発明の包装用フィルム送り装置は、通常、衣類包装機１に付設されて使用される。
【００１６】
衣類包装機１は、図２、図３に示されるように、ハンガー２に吊るされた状態の洗濯物としての衣類３に、ロール状に巻かれている筒状の包装用フィルム４を引き下ろして被せ、ハンガー２と衣類３とを一緒に包装用フィルム４で包装する装置である。衣類３としては、例えばワイシャツやブラウス等の上着がある。
【００１７】
而して、本発明の装置は、図１等に示されるように、ロール状に巻かれている包装用フィルム４を載せる平行一対状の支持ローラ５を備え、この各支持ローラ５に、包装用フィルム４の滑り防止用面状材６が巻き付けられている。
【００１８】
上記の支持ローラ５は、図３、図４等に示されるように、衣類包装機１の後側の下部に、左右方向に沿って水平状に横架されている。具体的には、衣類包装機１の後側の下部に設けられている左右一対状の側板７に、支持ローラ５は取り付けられている。
【００１９】
また支持ローラ５の間隔は、包装用フィルム４の芯材４ａ（図２参照）の直径より小さく選定され、包装用フィルム４の送り出しが完了したとき、芯材４ａの落下を防止できるよう形成されている。
【００２０】
また、この実施形態の本発明装置は、一対の支持ローラ５の端部５ａとモータ８の回転軸８ａに無端チェーン９が掛けられ、モータ８の駆動力で同方向に回転するよう形成されている。
なお、１０は、ロール形の包装用フィルム４を支持ローラ５に載せるとき、過って転がり落ちることを防止するためのバーである。
【００２１】
而して、上記の面状材６は、図１Ｂ、図９に示されるように、展開時に上から見て左右線対称の矢羽形に形成されている。またこの面状材６は、山形状の上辺６ａと山形状の下辺６ｂを巻き付け時に接続するテープ状の面状ファスナー１１を、上辺６ａと下辺６ｂに沿って、且つ巻き付け時に突き合わされる上辺６ａと下辺６ｂを覆うように備えて形成されている。
【００２２】
またこの実施形態の場合、面状材６の表面は、包装用フィルム４との接触摩擦が大きくなるよう、シリコン樹脂等で加工されている。なお、面状材６は、包装用フィルム４に帯電する静電気を除去できるよう、導電質に形成されているのでも良い。
【００２３】
上記の面状ファスナー１１は、図１Ｂ等に示されるように、この実施形態では面状材６の上辺６ａと下辺６ｂの頂点６ｃの近傍位置と、展開時における左右端６ｄにわたって連続状に設けられている。
またこの実施形態の場合、面状ファスナー１１は、山形状の上辺６ａに沿って雌型が設けられ、山形状の下辺６ｂに沿って雄型が設けられている。そして、雌型の面状ファスナー１１は、面状材６の表面側に露出され、雄型の面状ファスナー１１は鈎１１ａ（図９参照）を有する部分１１ｂを下辺６ｂから張り出させて設けられている。
【００２４】
そして、本発明は、同じ大きさの面状材６が、図１等に示されるように、一方の支持ローラ５と他方の支持ローラ５に、その長手方向の中央に、山形状の上辺６ａの頂点６ｃを対向させて巻き付けられている。
【００２５】
次に、本発明の装置の作用、並びに面状材６の取付方法、及び作用を説明する。
【００２６】
作業者は、先ず、面状材６を、図５に示されるように、上辺６ａの頂点６ｃを支持ローラ５の左右方向の中央に配置する。そして次に、作業者は、この面状材６の下辺６ｂを支持ローラ５の下から上に回して上辺６ａに沿って配置されている雌型の面状ファスナー１１に、上辺６ａと下辺６ｂを突き合わせた状態で雄型の面状ファスナー１１を被せて鈎着し、面状材６を支持ローラ５に巻き付ける。
【００２７】
これにより、面状材６の上辺６ａと下辺６ｂは、雄型の面状ファスナー１１で覆われる。そして、支持ローラ５の表面に、雄型の面状ファスナー１１が山形状に形作られて配置される（図６、図８の状態参照）。
【００２８】
次に、作業者は、支持ローラ５に包装用フィルム４を載せる。これにより、包装用フィルム４が面状材６に接し、面状ファスナー１１の厚み分だけ、包装用フィルム４は面状ファスナー１１に密着する。そして、この場合、本発明では面状ファスナー１１が山形状に形作られている。
【００２９】
そのため、支持ローラ５がモータ８の作用で回転すると、包装用フィルム４は、密着している面状ファスナー１１との摩擦抵抗が大きいため、この面状ファスナー１１による送り作用の影響を強く受ける。
【００３０】
具体的には、一方の支持ローラ５の面状ファスナー１１が包装用フィルム４を内方へ内方へと送り、他方の支持ローラ５の面状ファスナー１１が外方へ外方へと送るよう作用する。これにより、包装用フィルム４に加わる面状ファスナー１１の送り力が打ち消し合い、包装用フィルム４が同じ位置で回転するよう、面状ファスナー１１が包装用フィルム４に作用する。
【００３１】
本発明は、このような包装用フィルム４の芯を整える作用（調芯作用）が面状ファスナー１１によって得られ、その結果、これによれば、包装用フィルム４の横振れ、横滑りが防止される。
【００３２】
以上の処において、本発明の場合、面状材６の上下、左右の幅（長さ）は、支持ローラ５の直径や包装用フィルム４のロール幅に合わせて適宜選定されるので良い。また面状ファスナー１１のテープ幅も任意である。また面状ファスナー１１は、面状材６の上辺６ａと下辺６ｂに沿って、長く延ばされて設けられているのが良いが、本発明はこれに限定されるものではない。
【００３３】
１      衣類包装機
４      包装用フィルム
５      支持ローラ
６      滑り防止用面状材
６ａ    上辺
６ｂ    下辺
６ｃ    頂点
１１    面状ファスナー
【図１】
0006355523.tif 000002
【図２】
0006355523.tif 000003
【図３】
0006355523.tif 000004
【図４】
0006355523.tif 000005
【図５】
0006355523.tif 000006
【図６】
0006355523.tif 000007
【図７】
0006355523.tif 000008
【図８】
0006355523.tif 000009
【図９】
0006355523.tif 000010
【図１０】
0006355523.tif 000011